(57)【要約】【課題】吊り下げ包装商品を整列してスペースの無駄をなくし、取り出すとき隣接商品と絡み合って落下することがなく、コストダウン可能な商品吊り下げボードを提供する。【解決手段】被包装商品を収容する商品収容部１３の幅と同一または僅かに広い間隔の平行線Ｐ’，Ｐ”、該平行線Ｐ’，Ｐ”の片方を短く他方を長くし、該平行線Ｐ’，Ｐ”の上端で斜め外側にアールをもって折り曲げＢし、台紙１７の幅方向の両端が位置するところでアールをもって斜め内側に向けて折り返しＴした線Ｌに沿ってスリットＳを入れ、このスリットＳに、被包装商品を収容する商品収容部１３と縁１４を成形したカバー１５に被包装商品を装填し、該カバー１５の縁１４を台紙１７に接着してなる包装商品の吊り下げ包装体１０を、台紙１７を差し込んで被包装商品を陳列するようにしてなる。【選択図】  図１
2005080873.tif 000002
【特許請求の範囲】
【請求項１】
包装商品を吊り下げて陳列する商品吊り下げボードであって、上記包装商品の台紙の幅より狭い間隔の平行線、該平行線の片方を短く他方を長くし、上記平行線の上端で外側に折り曲げ、上記台紙幅方向の両端が位置するところで上下位置をずらせて内側に向けて折り返した線に沿ってスリットを入れたことを特徴とする商品吊り下げボード。
【請求項２】
上記平行線の上端で傾斜線またはアールを介して斜め外側に折り曲げ、上記台紙幅方向の両端が位置するところで二本の傾斜線またはアールを介して上下位置をずらせて斜め内側に向けて折り返した線に沿ってスリットを入れたことを特徴とする請求項１に記載の商品吊り下げボード。
【請求項３】
上記平行線の下端を同一水平レベルにし、その下端でアールをもって、折り曲げまたは折り返したことを特徴とする請求項１または２に記載の商品吊り下げボード。
【請求項４】
上記スリットの下端を同一レベルに合わせて並列したことを特徴とする請求項１乃至３のいずれかに記載の商品吊り下げボード。
【請求項５】
上記スリットの下端を同一レベルに合わせて並列する際、右側のスリットに左側のスリットを部分ラップさせてなることを特徴とする請求項１乃至４のいずれかに記載の商品吊り下げボード。
【請求項６】
上記スリットを上下に複数段設けたことを特徴とする請求項１乃至５のいずれかに記載の商品吊り下げボード。
【請求項７】
中心に折り畳み線を設けたボードの上下に上記スリットを設け、上記折り畳み線寄りに、切り離し容易にするミシン目と、このミシン目から上記スリットまでの間で、少なくとも二本の折り畳み線を吊り下げ包装体の高さ以上の間隔を開けて設けたことを特徴とする請求項１乃至６のいずれかに記載の商品吊り下げボード。
【請求項８】
上記スリットを入れたボードを複数枚重ね合わせたことを特徴とする請求項１乃至７のいずれかに記載の商品吊り下げボード。
【請求項９】
上記スリットを右または左に傾けて設けたことを特徴とする請求項１乃至８のいずれかに記載の商品吊り下げボード。
【発明の詳細な説明】
【技術分野】
【０００１】
この発明は、周囲に縁を成形したカバー内に被包装商品を装填し、該カバーの縁を台紙に接着してなる吊り下げ包装体を吊り下げ陳列する商品吊り下げボードに関する。
【背景技術】
【０００２】
商品吊り下げボードの先行技術として図５のものがあり、「ボード３１に、フック３２を適宜間隔で植設し、このフック３２に、商品収容部３３と縁３４とを一体に真空成形したカバー３５に被包装商品を装填し、吊り下げ孔３６を穿設した台紙３７に融着したつり下げ包装体３０を吊り下げる」ようにしたものである。
【発明の開示】
【発明が解決しようとする課題】
【０００３】
上記先行技術の商品陳列ボードは、要するに商品をフックで吊り下げるもので、周囲に縁を成形したカバー内に被包装商品を装填し、該カバーの縁を台紙に接着した台紙付き包装商品を吊り下げ陳列するためのものとしては、第一にフックに吊り下げた商品の向きがまちまちで陳列効果が期待できない。第二に包装商品の重心の位置が振れているときは傾いた状態で吊り下げられる。第三に包装商品を台紙の一部をラップさせて陳列するとき、不規則な状態になって、商品を取り出すとき隣り合う商品に絡み合って落下する恐れがある。第四にボードにフックを設けるものであるから、その分のコストアップになるなどの問題をもったものであった。
【０００４】
上記従来技術の問題点に鑑みこの発明は、カバーと台紙により包装された吊り下げ包装商品の陳列において、整列され、台紙の一部をラップさせることができ、包装商品の重心が振れていても傾くことなく陳列することができ、吊り下げられた包装商品を取り出すとき隣り合った商品と絡み合って落下することがなく、コストダウン可能な商品吊り下げボードを提供することを課題とする。
【課題を解決するための手段】
【０００５】
上記課題を解決するためにこの発明は、包装商品を吊り下げて陳列する商品吊り下げボードであって、上記包装商品の台紙の幅より狭い間隔の平行線、該平行線の片方を短く他方を長くし、上記平行線の上端で外側に折り曲げ、上記台紙幅方向の両端が位置するところで上下位置をずらせて内側に向けて折り返した線に沿ってスリットを入れたものであり、
上記平行線の上端で傾斜線またはアールを介して斜め外側に折り曲げ、上記台紙幅方向の両端が位置するところで二本の傾斜線またはアールを介して上下位置をずらせて斜め内側に向けて折り返した線に沿ってスリットを入れることもできる。
【０００６】
また、上記平行線の下端を同一水平レベルにし、その下端でアールをもって折り曲げ、または折り返すことができ、上記スリットの下端を同一レベルに合わせて並列することもでき、上記スリットの下端を同一レベルに合わせて並列する際、右側のスリットに左側のスリットを部分ラップさせ、上記スリットを上下に複数段設けることもできる。
【０００７】
また、中心に折り畳み線を設けたボードの上下に上記スリットを設け、上記折り畳み線寄りに、切り離し容易にするミシン目と、このミシン目から上記スリットまでの間で、少なくとも二本の折り畳み線を吊り下げ包装体高さ以上の間隔を開けて設け、上記スリットを入れたボードを複数枚重ね合わせることもでき、上記スリットを右または左に傾けることもできる。
【発明の効果】
【０００８】
上記の如く構成するこの発明によれば、台紙とカバーで包装された商品がスリットに規制されて陳列されるので陳列状態がよく確保され、包装商品の重心が振れていても傾いた陳列とならず、隣り合う商品との干渉がなく商品を取り出すとき落下する恐れがなくなり、陳列を意識的に傾けて取り扱われる商品の特徴に合わせた陳列を行うことができ、さらに、フックを設けることがないのでその分のコストダウンとなる。
【発明を実施するための最良の形態】
【０００９】
次にこの発明の実施形態を、図面を参照しながら説明する。図１および図２は、この発明の一実施形態を示し、ボール紙を素材とするボード１１に、カバー１５の商品収容部１３の幅Ｗと同一または僅かに広い間隔で、片方を短く他方を長くし平行線Ｐ’，Ｐ”、上記平行線Ｐ’，Ｐ”の上端で斜め外側にアールをもって折り曲げＢ、吊り下げ包装体の台紙１７の幅方向の両端Ｅが位置するところでアールをもって斜め内側に向けて折り返しＲをした線に沿ってスリットＳを入れたものが基本構造となる。
【００１０】
上記基本構造において、上記平行線Ｐ’，Ｐ”の上端で斜め外側にアールをもって折り曲げＢしているところを、傾斜線を介して折り曲げても良く、吊り下げ包装体の台紙１７の幅方向の両端Ｅが位置するところでアールをもって斜め内側に向けて折り返しＲしているところを、二本の傾斜線を繋ぐか、略９０度二回曲げて折り返すようにすることができる。
【００１１】
また、上記被包装商品は立体形状のものであるため、一定の幅と高さのあるカバー１５で被せられ、陳列効果を上げるために台紙１７のセンターから若干左にずらしているが、平面的な商品ではカバー１５が浅いものとなり、商品によっては台紙１７のセンターに合わせて包装される場合もある。従って、上記記載に限定されるものではない。
【００１２】
上記スリットＳは、平行部分の片方を短くＰ’、他方を長くＰ”しているので、図１（ｃ）に示すように台紙１７の幅の両端が位置する折り返しＲが、一部分ラップするように横方向に並べることができる。従って、吊り下げ包装体１０の台紙１７の端をラップさせながらスペースを有効に陳列することができ、また上下に複数段とすることもできる。
【００１３】
なお、平行線Ｌ’，Ｌ”上のスリットＳの下端を同一水平レベルとし、そこでＵ形鉤状Ｔとしているが、これは吊り下げ包装体１０の台紙１７を、このスリットＳに差し込んだとき、それを受け止める強度を高めて裂け難くしたものであるから、単にＬ字状に折り曲げるだけでも効果があり、吊り下げ包装体１０に包装された商品が軽いときはスリットＳの下端を折り曲げずストレートのままにしてもよい。
【００１４】
この実施形態では、スリットＳの下端を同一レベルに合わせているが、右左スリットＳの下端に段差を設けて、吊り下げ包装体１０の台紙１７とスリットＳとのギャップを利用して若干斜めに陳列するようにできる。また、上記平行線上のスリットＳを全体に傾斜させることにより吊り下げ包装体を斜めに陳列することもできる。
【００１５】
上記ボード１１を図２に示すように、その中央に等間隔で間歇的に切込みＣを入れた折り畳み線１２を境目とし、上下反転対称位置に上記スリットＳを設け、上記折り畳み線１２寄りに、切り離し容易にするミシン目Ｍと、このミシン目Ｍから上記スリットＳまでの間で、少なくとも二本の折り畳み線１２ａ，１２ｂを吊り下げ包装体１０の高さＨ以上の間隔を開けて設け、上下ボード１１間に吊り下げ包装体が形よく納まるようにしたものできる。
【００１６】
この場合同図（ａ）と（ｂ）との違いは、中央に設けた折り畳み線上の切込みの位置が１／２ピッチずれているところにあり、ボードを折り畳み線で二つ折りにし、両者を重ね合わせるとき、片方の切込み部分に他方の切り込んでない部分が嵌りあって上下のボードの位置ずれがなくなる。なお、３枚重ねたいときは、切込みと切込みのない部分との比を２：１の割合にし、切込みのない部分を順にずらすことにより同様の効果が得られる。
【００１７】
図３は上記実施形態の変形例で変化しているところは、同図で分かるようにボードの前半分は商品が前向き、後ろ半分は商品が後ろ向きになるようにしたもので基本的な考え方は変わっていない。なお、図４は、図３の商品吊り下げボードの展開図で、同図の符号は図１および図２と同様である。
【図面の簡単な説明】
【００１８】
【図１】（ａ）本発明の実施形態に係る商品吊り下げボードの斜視図、（ｂ）同スリット部分の説明図、（ｃ）（ａ）図の上側ボードをミシン目から切り離した状態の斜視図
【図２】二枚重ねの吊り下げボードの展開図で（ａ）は上側、（ｂ）は下側のボードを示す。
【図３】（ａ）他の実施形態に係る商品吊り下げボードの斜視図、（ｂ）（ａ）図の上側ボードをミシン目から切り離した状態の斜視図
【図４】他の実施形態の二枚重ねの吊り下げボードの展開図で（ａ）は上側、（ｂ）は下側のボードを示す。
【図５】従来の商品吊り下げボードの斜視図
【符号の説明】
【００１９】
１０，３０  吊り下げ包装体
１１，３１  ボード
１２，１２ａ，１２ｂ  折り畳み線
１３，３３  商品収容部
１４，３４  縁
１５，３５  カバー
１７，３７  台紙
３２  フック
３６  吊り下げ孔
Ｂ  折り曲げ
Ｃ  切込み
Ｅ  両端（台紙の）
Ｌ  線（スリットを入れる）
Ｍ  ミシン目
Ｐ’，Ｐ”  平行線
Ｒ  折り返し
Ｓ  スリット
Ｔ  Ｕ形鉤状
【図１】
2005080873.tif 000003
【図２】
2005080873.tif 000004
【図３】
2005080873.tif 000005
【図４】
2005080873.tif 000006
【図５】
2005080873.tif 000007